(57)【要約】【課題】  カーテンに対して挿入杆が振れないでカーテンに美しいひだが得られるカーテン吊り具を提供する。【解決手段】  高分子樹脂で一体成形された主杆１１と、この主杆１１と下部で連結部分１４によって連結されている挿入杆１２と、主杆１１に対して下方に向かって移動可能に装着されたフック体１３とを有するカーテン吊り具１０において、挿入杆１２の先端にカーテンの孔を側から外側に貫通する屈曲部１２ａを設けた。前記連結部分１４の縦断面形状は、上部が次第に薄肉状になる異形断面形状に形成され、前記挿入杆１２の横断面形状は主杆１１側および非主杆１１側が次第に薄肉状となるラグビーボール状に形成され、主杆１１の左右両側に羽根部１１ｃ，１１ｄを形成し、フック体１３に主杆１１を挟持する振れ止め部１３ｆ，１３ｇを形成した。【選択図】      図１
2006068323.tif 000002
【特許請求の範囲】
【請求項１】
カーテンに取り付けるための縦方向の挿入杆と、下部において前記挿入杆に連続し、挿入杆と並行して縦方向に延び、かつランナの吊り輪に掛け止めるためのフック体を備えた主杆とを具備するカーテン吊り具において、
前記挿入杆の先端部に、カーテンに設けた孔を内側から外側に貫通させる屈曲部を設けたことを特徴とするカーテン吊り具。
【請求項２】
前記主杆と挿入杆との連結部分の縦断面形状を、上部側が次第に薄肉状になる異形断面形状に形成したことを特徴とする請求項１に記載のカーテン吊り具。
【請求項３】
前記主杆と挿入杆との連結部分の縦断面形状を、上部側が次第に薄肉状になるドロップティア状に形成したことを特徴とする請求項２に記載のカーテン吊り具。
【請求項４】
前記挿入杆の横断面形状を、主杆側および非主杆側が次第に薄肉状になるラグビーボール状に形成したしたことを特徴とする請求項１から３のいずれかに記載のカーテン吊り具。
【請求項５】
前記主杆の左右両側に、カーテン面と平行状の羽根部を張り出し形成したことを特徴とする請求項１から４のいずれかに記載のカーテン吊り具。
【請求項６】
前記主杆にラック部が形成され、前記フック体が主杆とは別体に形成されて前記主杆のラック部に弾性的に係合する係合片を有して主杆に移動自在に装着されており、前記フック体の係合片と離隔した位置に、前記主杆を両側から挟持する振れ止め部を設けたことを特徴とする請求項１から５のいずれかに記載のカーテン吊り具。
【発明の詳細な説明】
【技術分野】
【０００１】
本発明はカーテン吊り具に関し、特にカーテンに取り付けてカーテンレールに吊り下げた場合に、カーテンに美しいひだを保持することができるカーテン吊り具に関するものである。
【背景技術】
【０００２】
カーテンを窓などの開口部に取り付けるためには、カーテンに取り付けるための縦方向の挿入杆と、下部において前記挿入杆に連続し、挿入杆と並行して縦方向に延び、かつランナの吊り輪に掛け止めるためのフック体を備えた主杆とを具備するカーテン吊り具が用いられている。
【０００３】
このカーテン吊り具には、１本の針金を屈曲して、前記挿入杆と主杆とフック部とを一体に形成したものが、最も簡単で安価であるが、カーテンの取り付け位置によって、各種の形状およびサイズのカーテン吊り具が必要である。
【０００４】
また、前記挿入杆と主杆とフック体とを高分子樹脂によって一体に形成したものもある。このカーテン吊り具は、型内に溶融樹脂を鋳込み成形して製造できるので、針金を屈曲成形するものよりも大量生産に適するが、針金製カーテン吊り具と同様に、カーテンの取り付け位置によって、各種の形状およびサイズのカーテン吊り具が必要である。
【０００５】
一方、前記挿入杆と主杆とを高分子樹脂によって一体に形成するとともに、主杆にラック部を形成して、この主杆のラック部に弾性的に係合する係合片を有する高分子樹脂製のフック体を装着して、フック体の係合片を主杆のラック部に係合させて、フック体が主杆のラック部を上から下方向に向かってラチェット式に移動可能にしたものがある。
【０００６】
ところで、上記の高分子樹脂製の一体型または主杆にフック体を移動可能に装着したカーテン吊り具においては、高分子樹脂の弾性的な変形によって、次のような問題点がある。
（１）主杆に対して挿入杆の先端部が左右に屈曲するので、カーテンに形成したひだ用のタック部に挿入した挿入杆の先端部が左右に屈曲するとタック部が傾いて、カーテンの美しいひだが損なわれることがある。
（２）主杆に対して挿入杆全体が左右に屈曲するので、カーテンに形成したひだ用のタック部に挿入した挿入杆全体が左右に屈曲するとタック部が左右いずれかに偏ってしまい、ひだが左右不均一になって美しいカーテンのひだが損なわれることがある。
【０００７】
そこで、図７に示すカーテン吊り具２０のように、主杆２１と挿入杆２２とを高分子樹脂で一体に形成し、主杆２１にフック体２３を移動可能に装着したものにおいて、挿入杆２２に主杆２１に向かって延びる貫通ピン２２ａを設けて、この貫通ピン２２ａをカーテンに貫通させて、挿入杆２２の先端部の左右への屈曲を防止したり、挿入杆全体の左右への屈曲を防止したりするものがある（例えば、特許文献１、特許文献２参照。）。
【０００８】
【特許文献１】特許第２５８８１６０号公報（［００１３］、図３）
【特許文献２】特開平８−２５６９０１号公報（［０００９］、図３）
【発明の開示】
【発明が解決しようとする課題】
【０００９】
ところが、上記の貫通ピン２２ａを設けたカーテン吊り具２０によると、貫通ピン２２ａをカーテンの縫い目に挿通させることによって、ある程度、挿入杆２２の先端部の左右への屈曲や、挿入杆２２全体の左右への屈曲を防止できるが、挿入杆２２の屈曲を完全に防止することができなないという問題点があった。
【００１０】
そこで、本発明は、挿入杆の先端部の左右への屈曲および挿入杆全体の左右への屈曲をより確実に防止して、カーテンの美しいひだを保持できるカーテン吊り具を提供することを目的とするものである。
【課題を解決するための手段】
【００１１】
本発明のカーテン吊り具は、上記の課題を解決するために、カーテンに取り付けるための縦方向の挿入杆と、下部において前記挿入杆に連続し、挿入杆と並行して縦方向に延び、かつランナの吊り輪に掛け止めるためのフック体を備えた主杆とを具備するカーテン吊り具において、前記挿入杆の先端部に、カーテンに設けた孔を内側から外側に貫通させる屈曲部を設けたことを特徴とするものである（請求項１）。
【００１２】
ここで、上記の「カーテンに設けた孔」なる用語は、カーテンの上端部を折り返してひだ形成用の単一または複数の縦方向に形成したタック部の両端部の合わせ目を縫い付けたものの縫い目間の隙間部でもよいし、タック部を形成しないでカーテン生地に形成した貫通孔でもよい。挿入杆の屈曲部は、これらの縫い目間の隙間部または貫通孔を内側から外側に貫通させる。
【００１３】
前記主杆と挿入杆との連結部分の縦断面形状を、上部側が次第に薄肉状になる異形断面形状に形成するとよい（請求項２）。
【００１４】
また、前記主杆と挿入杆との連結部分の縦断面形状を、上部側が次第に薄肉状になるドロップティア状に形成するとよい（請求項３）。
【００１５】
また、前記挿入杆の横断面形状を、主杆側および非主杆側が次第に薄肉状になるラグビーボール状に形成するとよい。（請求項４）。
【００１６】
また、前記主杆の左右両側に、カーテン面と平行状の羽根部を張り出し形成するとよい（請求項５）。
【００１７】
また、前記主杆にラック部が形成され、前記フック体が主杆とは別体に形成されて前記主杆のラック部に弾性的に係合する係合片を有して主杆に移動自在に装着されており、前記フック体の係合片と離隔した位置に、前記主杆を両側から挟持する振れ止め部を設けるとよい（請求項６）。
【発明の効果】
【００１８】
本発明のカーテン吊り具は、カーテンに取り付けるための縦方向の挿入杆と、下部において前記挿入杆に連続し、挿入杆と並行して縦方向に延び、かつランナの吊り輪に掛け止めるためのフック体を備えた主杆とを具備するカーテン吊り具において、前記挿入杆の先端部に、カーテンに設けた孔を内側から外側に貫通させる屈曲部を設けたので、単に挿入
杆をカーテンのタック部に挿入するものや、貫通ピンをカーテンに貫通させるものに比較して、屈曲部をカーテンに設けた孔を内側から外側に貫通させ、さらに屈曲部をカーテンに沿って延材させることによって、挿入杆の先端部や挿入杆全体が左右に屈曲することが防止され、ひだ用のタック部が左右に振れることが防止され、カーテンに美しいひだを保持させることができる。
【００１９】
また、前記主杆と挿入杆との連結部分の縦断面形状を、上部側が次第に薄肉状になる異形断面形状に形成することにより、薄肉状の部分がカーテンのひだ用タック部の下端に当接しても、従来の連結部分の縦断面形状が矩形状のカーテン吊り具に比較して、タック部の変形が小さくなって、カーテンに美しいひだが保持される。
【００２０】
また、前記主杆と挿入杆との連結部分の横断面形状を、上部側が次第に薄肉状になるドロップティア状に形成すると、ドロップティア状の上部がカーテンのひだ用のタック部の下端に当接しても、カーテンの変形が小さく抑えられて、カーテンの美しいひだが保持される。
【００２１】
また、前記挿入杆の横断面形状を、主杆側および非主杆側が次第に薄肉状になるラグビーボール状に形成すると、横断面形状が矩形状の挿入杆に比較して、挿入杆をカーテンのひだ用のタック部に挿入し易くなって、カーテン吊り具のカーテンへの装着作業が迅速、かつ、確実に行えるとともに、カーテン吊り具装着後のカーテンのひだ用タック部の膨らみが小さく抑えられて、カーテンの美しいひだが保持される。
【００２２】
また、前記主杆の左右両側に、カーテン面と平行状の羽根部を張り出し形成すると、カーテン吊り具がカーテンに対して左右に振れようとしても、羽根部によってカーテンを押えることによって、カーテン吊り具のカーテンに対する左右の振れが防止され、カーテンに美しいひだが保持される。
【００２３】
また、前記主杆にラック部が形成され、前記フック体が主杆とは別体に形成されて前記主杆のラック部に弾性的に係合する係合片を有して主杆に移動自在に装着されており、前記フック体の係合片と離隔した位置に、前記主杆を両側から挟持する振れ止め部を設けると、この振れ止め部によってフック体が上下４点で支持されることになって、従来の下側の２点で支持するものに比較して、主杆に対してフック体が左右に振れることが防止され、カーテンの美しいひだを保持することができる。
【発明を実施するための最良の形態】
【００２４】
以下、本発明のカーテン吊り具の実施形態を、図面を参照して説明する。
【００２５】
図１は、本発明の第１実施形態のカーテン吊り具１０を示し、（ａ）は正面図、（ｂ）は左測面図、（ｃ）は背面図、（ｄ）は平面図、（ｅ）は下面図である。図２は図１のカーテン吊り具１０の主杆１１を示し、（ａ）は正面図、（ｂ）は左測面図、（ｃ）は背面図、（ｄ）は平面図、（ｅ）は下面図である。図３は図１のカーテン吊り具１０のフック体１３を示し、（ａ）は正面図、（ｂ）は左測面図、（ｃ）は背面図、（ｄ）は平面図、（ｅ）は下面図、（ｆ）は主杆１１のカーテン側の部分正面図である。
【００２６】
図１〜図３において、カーテン吊り具１０は、高分子樹脂によって鋳込み成形された主杆１１およびこの主杆１１と下部において連結して一体に形成されている挿入杆１２と、主杆１１および挿入杆１２とは別体に鋳込み成形されて主杆１１に対してスライド可能なフック体１３とを有する。
【００２７】
主杆１１は、鉛直状に立ち上がっており、その左右両面に下方に向かって次第に厚肉となる複数のラック部１１ａ，１１ｂが形成されている。また、左右両方向に羽根部１１ｃ、１１ｄを張り出し形成してある。この羽根部１１ｃ、１１ｄは縦方向および横方向に大きく形成するほど、後述するカーテン吊り具１０の振れ防止効果が顕著になるが、反面、カーテン吊り具１０の重量が大きくなるとともに、樹脂の使用量が増大して価格が上昇するので、カーテン吊り具１０の振れ防止効果と、カーテン吊り具１０の価格との両面から、羽根部１１ｃ、１１ｄを適当な大きさに設定するとよい。また、主杆１１と挿入杆１２との連結部分１４の縦断面形状は、図１（ａ）および図２（ａ）から明らかなように、上部側が次第に薄肉状になる異形断面形状、例えばドロップティア状に形成してある。なお、図１（ａ）の連結部分１４は便宜的にハッチング（断面）表示している（図２（ａ）、図４（ａ）、図５（ａ）、図６（ａ）、図７（ａ）でも同様）。
【００２８】
挿入杆１２は、主杆１１と下部において連結部分１４で連結されており、先端にカーテンに設けた孔を内側から外側に貫通させる屈曲部１２ａを設けてある。この屈曲部１２ａの先端部は、カーテンの孔に挿入し易いように半球状に形成されている。また、挿入杆１２の横断面形状は、図１（ｅ）から明らかなように、主杆１１側（図１（ｅ）および図２（ｅ）において右側）および非主杆１１側（図１（ｅ）および図２（ｅ）において左側）が次第に薄肉状になるラグビーボール状に形成してある。
【００２９】
フック体１３は、カーテンレールのランナの環に挿入される側１３ａと、主杆１１に装着される側１３ｂとを有する全体として逆Ｕ字状をしており、カーテンレールのランナの環に挿入される側１３ａの先端部１３ｃは、若干外方に屈曲されているとともに、先端になるにしたがって径小に形成されている。主杆１１に装着される側１３ｂは、下部の左右両側に前記主杆１１のラック部１１ａ，１１ｂに弾性的に係合する係合片１３ｄ，１３ｅが設けられている。また、この係合片１３ｄ，１３ｅの上方位置に、主杆１１を両側から挟持する振れ止め部１３ｆ，１３ｇが設けられている。さらに、主杆１１に装着される側１３ｂの正面には、カーテンレールのランナの環に挿入される側１３ａに向かって突出する突出部１３ｈが形成されている。
【００３０】
次に、上記のカーテン吊り具１０の動作について説明する。
【００３１】
まず、フック体１３を主杆１１の適当な位置に装着しておく。フック体１３の係合片１３ｄ，１３ｅは主杆１１のラック部１１ａ，１１ｂに弾性的に係合しており、ラック部１１ａ，１１ｂの段部によって、フック体１３が主杆１１から脱落することはない。この状態でカーテン吊り具１０をカーテンのひだ用のタック部に装着する。このとき、挿入杆１２の横断面形状がラグビーボール状の楕円面形状になっているので、横断面形状が矩形状のカーテン吊り具に比較して、挿入杆１２をカーテンのタック部に円滑に挿入することができるのみならず、タック部に挿入後は挿入杆１２の存在によってタック部が広げられることが少ないため、タック部が変形してカーテンのひだが乱れることが防止されて、カーテンに美しいひだが保持される。
【００３２】
また、挿入杆１２の屈曲部１２ａをカーテンに設けた孔を内側から外側に貫通させ、カーテンに沿って延材させることによって、従来の単に挿入杆１２をカーテンのひだ用のタック部に挿入しただけのものや、突起部をカーテンの孔に挿入しただけのものに比較して、挿入杆１２の先端の屈曲部１２ａや挿入杆１２全体の主杆１１に対する左右の振れがなくなり、カーテンの美しいひだが保持される。さらに、主杆１１と挿入杆１２との連結部分１４の断面形状が、上部が次第に薄肉状となるドロップティア状に形成されているので、連結部分１４がカーテンのタック部の縫い付け部分に接触しても、従来の横断面形状が矩形状のものに比較して、カーテンの縫い目を変形させるように作用する応力が小さく、カーテンの変形が少ないため、カーテンの美しいひだを保持できる。
【００３３】
また、主杆１１にカーテン面に平行な羽根部１１ｃ、１１ｄを形成しているので、この羽根部１１ｃ、１１ｄでカーテン面を押えることによって、カーテンに対するカーテン吊り具１０の左右の振れがなくなり、カーテンの美しいひだを保持できる。
【００３４】
また、フック体１３の係合片１３ｄ，１３ｅの上方位置に、主杆１１を両側から挟持する振れ止め部１３ｆ，１３ｇが設けられているので、従来の単に下方部に係合片１３ｄ，１３ｅのみが設けられているフック体に比較して、フック体１３が主杆１１に対して上下４点支持構造になるため、フック体１３の主杆１１に対する左右の振れがなくなり、カーテンの美しいひだを保持できる。なお、フック体１３は、従来と同様に、下方に押し下げることによって、係合片１３ｄ，１３ｅが主杆１１のラック部１１ａ，１１ｂをラチェット動作で移動自在であり、フック体１３を任意の位置に位置させることができる。フック体１３が主杆１１の下端から外れると、再び主杆１１の上端から装着することができる。
【００３５】
なお、上記の実施形態は、本発明の典型的なものを示したものであって、本発明はこの実施形態に限定されるものではなく、本発明の精神を逸脱することなく種々の変形が可能である。
【００３６】
例えば、本発明のカーテン吊り具は、図示するようなフック体１３を主杆１１とは別体に形成し、主杆１１に移動自在に装着するものに好適なものであるが、フック体１３を主杆１１と一体に形成したものにも適用することができる。
【００３７】
また、本発明は、カーテンの孔に内側から外側に貫通する屈曲部１２ａを設ける点を除いては、すなわち、主杆１１と挿入杆１２との連結部分１４の縦断面形状を上部が次第に薄肉状になる異形状、例えば、ドロップティア状にすること、挿入杆１２の横断面形状を主杆１１側および非主杆１１側が次第に薄肉状になるラグビーボール状に形成すること、主杆１１の左右両側に羽根部１１ｃ、１１ｄを形成すること、フック体１３に振れ止め部１３ｆ，１３ｇを形成すること、主杆１１の正面に突出部１３ｆを形成することは、その一つまたは２以上を選択的に採用することができる。
【００３８】
図４および図５は、それぞれ、本発明の第２実施形態および第３実施形態（フック体は省略）のカーテン吊り具１０ａ、１０ｂを示す。図１と同一部分には同一符号を付す。図１のカーテン吊り具１０と異なる点は、挿入杆１２の中間部１８ａ、１８ｂが、主杆１１に当接する程度までくの字状に屈曲されていること、主杆１１の先端部に挿入杆１２の先端部の直線部分（屈曲部１２ａ）をその厚み方向に部分的に受入れる凹所１９ａ、１９ｂが形成されていること、図４にあっては主杆１１と挿入杆１２との連結部分１４ａの縦断面形状が図４（ａ）から明らかなように図４（ｄ）に示す立上がり部の断面と同様に上下両端部が尖ったラグビーボール状に形成されていること、図５にあっては主杆１１と挿入杆１２との連結部分１４ｂの縦断面形状が図５（ａ）から明らかなように上下両端部が三角状に尖った扁平六角形状に形成されていることである。
【００３９】
挿入杆１２の中間部１８ａ、１８ｂが主杆１１に当接する程度までくの字状に屈曲していることで、主杆１１と挿入杆１２との間にカーテンのタック部の生地を挟み込み、挿入杆１２の傾斜を抑制する。また、主杆１１の凹所１９ａ、１９ｂに屈曲部１２ａを受入れることで、主杆１１と挿入杆１２との間にカーテンのタック部の生地を挟み込む力が十分に得られ、挿入杆１２の傾斜をいっそう確実に抑制する。
【００４０】
また、図５の第２実施形態では挿入杆１２の両側面中央が肉取りされて縁部に沿ってリブ１７が形成されている。これにより挿入杆１２の剛性が高まり、挿入杆１２の傾斜抑制と共に、カーテンのタック部の生地を挟み込む十分な力の維持が図れる。
【００４１】
図６は、本発明の第４実施形態（フック体は省略）のカーテン吊り具１０ｃを示す。図１と同一部分には同一符号を付す。図１のカーテン吊り具１０と異なる点は、挿入杆１２の中間部１８ｃが傾斜して主杆１１に近接していること、挿入杆１２の先端が主杆１１側が凹となる円弧状部１８ｄ、幅方向に括れた括れ部１８ｅおよび主杆１１の先端１１ｅの直上に位置する球形部１８ｆで構成されていること、主杆１１と挿入杆１２との連結部分１４ｃの縦断面形状が図６（ａ）から明らかなように上下両端部が尖ったラグビーボール状に形成されていること、主杆１１の下端部に幅方向に貫通した穴１１ｆが形成してあることである。
【００４２】
挿入杆１２の先端に円弧状部１８ｄと球形部１８ｆを形成したことで、カーテンに形成したひだ用のタック部に挿入した挿入杆１２の先端を、タック部の孔から外側に向けて突出させやすい。この際、タック部の孔の周辺の生地は円弧状部１８ｄが生地を避ける関係で皺が入りにくく、球形部１８ｆが主杆１１から離間するのを防止する。したがって、カーテンないしカーテン吊り具１０ｃの体裁が好ましいものとなる。なお、穴１１ｆは複数のカーテン吊り具１０ｃをカーテンに装着した状態でカーテンを閉じたときのカーテン吊り具１０ｃ相互間の間隔を均等にするために使用するもので、穴１１ｆに細いロープないしワイヤなどの索状体を挿通し、この索状体に等間隔にストッパを取付けてカーテン吊り具１０ｃの相互間間隔を規制する。
【図面の簡単な説明】
【００４３】
【図１】本発明のカーテン吊り具の第１実施形態を示し、（ａ）は正面図、（ｂ）は左側面図、（ｃ）は背面図、（ｄ）は平面図、（ｅ）は下面図である。
【図２】図１のカーテン吊り具の主杆を示し、（ａ）は正面図、（ｂ）は左側面図、（ｃ）は背面図、（ｄ）は平面図、（ｅ）は下面図である。
【図３】図１のカーテン吊り具のフック体を示し、（ａ）は正面図、（ｂ）は左側面図、（ｃ）は背面図、（ｄ）は平面図、（ｅ）は下面図、（ｆ）は主杆側の部分正面図である。
【図４】本発明のカーテン吊り具の第２実施形態（フック体は省略）を示し、（ａ）は正面図、（ｂ）は左側面図、（ｃ）は背面図、（ｄ）は下面図である。
【図５】本発明のカーテン吊り具の第３実施形態（フック体は省略）を示し、（ａ）は正面図、（ｂ）は左側面図、（ｃ）は背面図、（ｄ）は下面図である。
【図６】本発明のカーテン吊り具の第４実施形態（フック体は省略）を示し、（ａ）は正面図、（ｂ）は左側面図、（ｃ）は背面図、（ｄ）は下面図である。
【図７】従来のカーテン吊り具を示し、（ａ）は正面図、（ｂ）は左側面図、（ｃ）は背面図、（ｄ）は平面図、（ｅ）は下面図である。
【符号の説明】
【００４４】
１０  カーテン吊り具
１１  主杆
１１ａ，１１ｂ  ラック部
１１ｃ，１１ｄ  羽根部
１２  挿入杆
１２ａ  屈曲部
１３  フック体
１３ａ  カーテンレールのランナの環に挿入される側
１３ｂ  主杆に装着される側
１３ｃ  先端部
１３ｄ，１３ｅ  係合片
１３ｆ，１３ｇｆ  振れ止め部
１３ｈ  突出部
１４  屈曲部
【図１】
2006068323.tif 000003
【図２】
2006068323.tif 000004
【図３】
2006068323.tif 000005
【図４】
2006068323.tif 000006
【図５】
2006068323.tif 000007
【図６】
2006068323.tif 000008
【図７】
2006068323.tif 000009